【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
第１の層対であって、
第１の高分子微多孔質膜と、
第１の流れ方向に方向付けられ、抽出要素の第１の対向側部上に設けられた流体入口及び流体出口を有する第１の流路層と、を有する第１の層対と、
前記第１の層対に隣接して設けられて積層体を形成する第２の層対であって、
第２の高分子微多孔質膜と、
前記第１の流れ方向とは異なる第２の流れ方向に方向付けられており、抽出要素の第２の対向側部上に設けられた流体入口及び流体出口を有する第２の流路層と、を備える第２の層対と、を備え、
前記第１の微多孔質膜は、前記第１の流路と前記第２の流路との間に設けられている、液−液抽出要素。
【請求項２】
溶解した溶質を第１の液体から第２の液体へと抽出する方法であって、
液−液抽出要素であって、
複数の第１の層対であって、それぞれが、
第１の高分子微多孔質膜と、
第１の流れ方向に方向付けられており、前記抽出要素の第１の対向側部上に設けられた流体入口及び流体出口を有する第１の流路層と、を備える第１の層対と、
それぞれが第１の層対との間で交互に並び積層体を形成する複数の第２の層対であって、
第２の高分子微多孔質膜と、
前記第１の流れ方向とは異なる第２の流れ方向に方向付けられており、前記抽出要素の第２の対向側部上に設けられた流体入口及び流体出口を有する第２の流路層と、を備える第２の層対と、を備える液−液抽出要素を用意するステップであって、
前記第１の微多孔質膜は、前記第１の流路と前記第２の流路との間に設けられている、ステップと、
前記第１の流路層の中に、溶解した溶質を有する第１の液体を流すステップと、
前記第２の流路層の中に第２の液体を流すステップと、
前記第１の液体から前記第２の液体の中へと、前記第１及び第２の微多孔質膜の向こう側に、前記溶質を移動させるステップと、含む方法。
【請求項３】
溶解した溶質を有する第１の液体を備えるある体積の供給溶液を収容する供給溶液容器と、
ある体積の溶媒を収容する溶媒容器と、
液−液抽出要素であって、
前記供給溶液容器と流体連通した複数の第１の層対であって、それぞれが、
第１の高分子微多孔質膜と、
第１の流れ方向に方向付けられており、前記抽出要素の第１の対向側部上に設けられた流体入口及び流体出口を有する第１の流路層と、を備える第１の層対と、
前記溶媒容器と流体連通した複数の第２の層対であって、それぞれが第１の層対との間で交互に並び積層体を形成し、
第２の高分子微多孔質膜と、
前記第１の流れ方向とは異なる第２の流れ方向に方向付けられており、前記抽出要素の第２の対向側部上に設けられた流体入口及び流体出口を有する第２の流路層と、を備える第２の層対と、を備え、
前記第１の微多孔質膜は、前記第１の流路と前記第２の流路との間に設けられている、液−液抽出要素と、を備え、
前記供給溶液からの溶質は、前記第１及び第２の微多孔質膜の向こう側に、前記溶媒の中へと移動しうる、液−液抽出システム。
【手続補正２】
【補正対象書類名】明細書
【補正対象項目名】００６７
【補正方法】変更
【補正の内容】
【００６７】
本発明は種々の修正及び代替の形態に容易に応じるが、その細部は、一例として図面に示してあり、又詳しく説明することにする。しかしながら、その意図は、説明した特定の実施形態に本発明を限定することではないことを理解されたい。逆に、その意図は、本発明の趣旨と範疇に含まれる全ての修正物、等価物、並びに代替物を網羅することである。
以下に、本願発明に関連する発明の実施形態を列挙する。
実施形態１
第１の層対であって、
第１の高分子微多孔質膜と、
第１の流れ方向に方向付けられ、抽出要素の第１の対向側部上に設けられた流体入口及び流体出口を有する第１の流路層と、を有する第１の層対と、
前記第１の層対に隣接して設けられて積層体を形成する第２の層対であって、
第２の高分子微多孔質膜と、
前記第１の流れ方向とは異なる第２の流れ方向に方向付けられており、抽出要素の第２の対向側部上に設けられた流体入口及び流体出口を有する第２の流路層と、を備える第２の層対と、を備え、
前記第１の微多孔質膜は、前記第１の流路と前記第２の流路との間に設けられている、液−液抽出要素。
実施形態２
前記第１の流れ方向は、前記第２の流れ方向に対して直角である、実施形態１に記載の液−液抽出要素。
実施形態３
複数の交互に並ぶ第１の層対と第２の層対とを更に備える、実施形態１に記載の液−液抽出要素。
実施形態４
２５枚から２５０枚の交互に並ぶ第１の層対と第２の層対とを更に備える、実施形態１に記載の液−液抽出要素。
実施形態５
前記第１の流路層及び前記第２の流路層は波形構造を有し、前記第１の高分子微多孔質膜及び前記第２の高分子微多孔質膜は平面的構造を有する、実施形態１に記載の液−液抽出要素。
実施形態６
前記第１の高分子微多孔質膜と前記第１の流路層との間に設けられた接着剤を更に備える、実施形態１に記載の液−液抽出要素。
実施形態７
前記第２の対向側部に隣接し且つ沿って前記第１の流路層内に設けられ、前記第１の対向側部に隣接し且つ沿って前記第２の流路層内に設けられた接着剤を更に備える、実施形態１に記載の液−液抽出要素。
実施形態８
前記第１の流路層は、前記第２の対向側部に隣接し且つ沿ってシールされており、前記第２の流路層は、前記第１の対向側部に隣接し且つ沿ってシールされている、実施形態１に記載の液−液抽出要素。
実施形態９
前記第１の流路層及び前記第２の流路層は、２５マイクロメートルから１５０マイクロメートルの範囲の厚さを有し、前記第１の高分子微多孔質膜及び前記第２の高分子微多孔質膜は、１マイクロメートルから１００マイクロメートルの範囲の厚さを有する、実施形態１に記載の液−液抽出要素。
実施形態１０
前記第１の高分子微多孔質膜と前記第１の流路層との間に設けられた第１の多孔質不織布層と、前記第２の高分子微多孔質膜と前記第２の流路層との間に設けられた第２の多孔質不織布層とを更に備える、実施形態１に記載の液−液抽出要素。
実施形態１１
前記積層体の周りに設けられた硬質なフレームを更に備える、実施形態１に記載の液−液抽出要素。
実施形態１２
前記積層体の周りに設けられた硬質なフレームと、前記硬質なフレームの周りに設けられた硬質な外側ハウジングとを更に備え、前記硬質な外側ハウジングは、前記硬質なフレーム及び積層体を前記外側ハウジングから取り外すことを可能にするための取外し可能な部分を有する、実施形態１に記載の液−液抽出要素。
実施形態１３
溶解した溶質を第１の液体から第２の液体へと抽出する方法であって、
液−液抽出要素であって、
複数の第１の層対であって、それぞれが、
第１の高分子微多孔質膜と、
第１の流れ方向に方向付けられており、前記抽出要素の第１の対向側部上に設けられた流体入口及び流体出口を有する第１の流路層と、を備える第１の層対と、
それぞれが第１の層対との間で交互に並び積層体を形成する複数の第２の層対であって、
第２の高分子微多孔質膜と、
前記第１の流れ方向とは異なる第２の流れ方向に方向付けられており、前記抽出要素の第２の対向側部上に設けられた流体入口及び流体出口を有する第２の流路層と、を備える第２の層対と、を備える液−液抽出要素を用意するステップであって、
前記第１の微多孔質膜は、前記第１の流路と前記第２の流路との間に設けられている、ステップと、
前記第１の流路層の中に、溶解した溶質を有する第１の液体を流すステップと、
前記第２の流路層の中に第２の液体を流すステップと、
前記第１の液体から前記第２の液体の中へと、前記第１及び第２の微多孔質膜の向こう側に、前記溶質を移動させるステップと、含む方法。
実施形態１４
前記第１の液体を流すステップは、前記第２の流路層の中に第２の液体を流すステップの方向に対して直角な方向に、溶解した溶質を有する第１の液体を、前記第１の流路層の中に流すことを含む、実施形態１３に記載の方法。
実施形態１５
前記用意するステップは、波形の第１の流路層及び波形の第２の流路層と、平面的な第１の微多孔質膜及び平面的な第２の微多孔質膜とを備える液−液抽出要素を用意することを含む、実施形態１３に記載の方法。
実施形態１６
前記用意するステップは、前記第２の対向側部に隣接し且つ沿ってシールされた第１の流路層と、前記第１の対向側部に隣接し且つ沿ってシールされた第２の流路層とを備える液−液抽出要素を用意することを含む、実施形態１３に記載の方法。
実施形態１７
前記用意するステップは、前記積層体の周りに設けられたフレームを更に備える液−液抽出要素を用意することと、前記フレーム及び積層体を外側ハウジング内に置くこととを含み、前記外側ハウジングは、第１の液体入口と、第１の液体出口と、第２の液体入口と、第２の液体出口と、前記硬質なフレーム及び積層体を前記外側ハウジングから取り外すことを可能にするための取外し可能部分とを有する、実施形態１３に記載の方法。
実施形態１８
前記取外し可能部分を前記外側ハウジングから取り外すステップと、前記積層体を第２の積層体と交換するステップと、前記外側ハウジング上の前記取外し可能部分を交換するステップとを更に含む、実施形態１３に記載の方法。
実施形態１９
溶解した溶質を有する第１の液体を備えるある体積の供給溶液を収容する供給溶液容器と、
ある体積の溶媒を収容する溶媒容器と、
液−液抽出要素であって、
前記供給溶液容器と流体連通した複数の第１の層対であって、それぞれが、
第１の高分子微多孔質膜と、
第１の流れ方向に方向付けられており、前記抽出要素の第１の対向側部上に設けられた流体入口及び流体出口を有する第１の流路層と、を備える第１の層対と、
前記溶媒容器と流体連通した複数の第２の層対であって、それぞれが第１の層対との間で交互に並び積層体を形成し、
第２の高分子微多孔質膜と、
前記第１の流れ方向とは異なる第２の流れ方向に方向付けられており、前記抽出要素の第２の対向側部上に設けられた流体入口及び流体出口を有する第２の流路層と、を備える第２の層対と、を備え、
前記第１の微多孔質膜は、前記第１の流路と前記第２の流路との間に設けられている、液−液抽出要素と、を備え、
前記供給溶液からの溶質は、前記第１及び第２の微多孔質膜の向こう側に、前記溶媒の中へと移動しうる、液−液抽出システム。
実施形態２０
前記第１の流れ方向は、前記第２の流れ方向に対して直角である、実施形態１９に記載の液−液抽出システム。